(57)【要約】  移動端末機に内蔵されたＲＦＩＤリーダの干渉を最小化する方法を開示する。即ち、ａ）上記移動端末機の固有番号及び基地局との同期化のための移動通信網信号を認知する段階；ｂ）上記移動通信網信号の一周期を構成する時間順に配列された基本情報単位に、順次的な識別番号（０、１、２、・・・Ｎ−１）を付与する段階；ｃ）上記移動端末機の固有番号を、上記移動通信網信号の周期を構成する基本情報単位の数（Ｎ）で割る段階；ｄ）上記基本情報単位の数で割った上記移動端末機の固有番号の余りと同じ上記識別番号が付与された上記移動通信網信号の特定基本情報単位に、上記リーダの動作時間を配当する段階；及び、ｅ）上記配当された動作時間の間に特定タグ（ＴＡＧ）の認識のための電磁波を出力する段階；を含むことによって、移動通信網信号の周期の特定時点に固有の動作時間を配分して、所定の領域に散在している多数のリーダが一つのタグの認識を同時に試みる場合にも、リーダ間の相互干渉を最小化することができる。
2010516079.tif 000002
【特許請求の範囲】
【請求項１】
移動端末機に内蔵されたＲＦＩＤリーダの干渉を最小化する方法において、
ａ）上記移動端末機の固有番号及び基地局との同期化のための移動通信網信号を認知する段階；
ｂ）上記移動通信網信号の一周期を構成する時間順に配列された基本情報単位に、順次的な識別番号（０、１、２、・・・Ｎ−１）を付与する段階；
ｃ）上記移動端末機の固有番号を、上記移動通信網信号の周期を構成する基本情報単位の数（Ｎ）で割る段階；
ｄ）上記基本情報単位の数で割った上記移動端末機の固有番号の余りと同じ上記識別番号が付与された上記移動通信網信号の特定基本情報単位に、上記リーダの動作時間を配当する段階；及び、
ｅ）上記配当された動作時間の間に特定タグ（ＴＡＧ）の認識のための電磁波を出力する段階；を含むことを特徴とするＲＦＩＤリーダ間の干渉を最小化する方法。
【請求項２】
上記移動端末機の固有番号は、
上記移動端末機を識別するためのＭＤＮ、ＭＩＮ、ＥＳＮ、及びＭＳＩＳＤＮのうち何れか一つを含むことを特徴とする請求項１に記載のＲＦＩＤリーダ間の干渉を最小化する方法。
【請求項３】
上記移動通信網信号は、
時間順に配列された多数のスロット又はフレームから上記周期が構成されることを特徴とする請求項１に記載のＲＦＩＤリーダ間の干渉を最小化する方法。
【請求項４】
移動端末機の固有番号及び基地局との同期化のための所定の周期を有する移動通信網信号を認知し、上記固有番号によって、上記移動通信網信号の周期を構成するために時間順に配列された基本情報単位のうち特定基本情報単位の間に、上記移動端末機に内蔵されたＲＦＩＤリーダの動作時間を配分し、上記配分された時間の間だけタグの認識のための電磁波を出力するようにすることを特徴とするＲＦＩＤリーダ間の干渉を最小化するシステム。
【請求項５】
上記移動端末機は、
上記移動通信網信号の一周期を構成する時間順に配列された基本情報単位に、順次的な識別番号（０、１、２、・・・Ｎ−１）を付与し、上記移動端末機の固有番号を、上記移動通信網信号の周期を構成する基本情報単位の数（Ｎ）で割り、割った上記移動端末機の固有番号の余りと同じ上記識別番号が付与された特定基本情報単位に、上記動作時間を配分することを特徴とする請求項４に記載のＲＦＩＤリーダ間の干渉を最小化するシステム。
【請求項６】
上記移動端末機の固有番号は、
上記移動端末機を識別するためのＭＤＮ、ＭＩＮ、ＥＳＮ、及びＭＳＩＳＤＮのうち何れか一つを含むことを特徴とする請求項４に記載のＲＦＩＤリーダ間の干渉を最小化するシステム。
【請求項７】
上記移動通信網信号は、
時間順に配列された多数のスロット又はフレームから周期が構成されることを特徴とする請求項４に記載のＲＦＩＤリーダ間の干渉を最小化するシステム。
【請求項８】
上記移動端末機は、
内蔵されたホストＭＣＵを通して上記ＲＦＩＤリーダの動作を制御することを特徴とする請求項４に記載のＲＦＩＤリーダ間の干渉を最小化するシステム。
【発明の詳細な説明】
【技術分野】
【０００１】
本発明は、ＲＦＩＤリーダ間の干渉を最小化するシステム及び方法に関し、より詳しくは、同期信号又は非同期信号を含む移動通信網信号を通して、多数の移動端末機に搭載されたＲＦＩＤリーダの動作をそれぞれスケジューリング（Scheduling）して上記リーダ間の相互干渉を最小化する、ＲＦＩＤリーダ間の干渉を最小化するシステム及び方法に関する。
【背景技術】
【０００２】
ＲＦＩＤは、物にタグを付着し、電波を用いてタグの情報を読み取る技術である。同技術は、物の物流管理や保安、流通など多様な分野に応用できる。
【０００３】
既存の接触式バーコード（Barcode）をＲＦに代替することによって、バーコードよりも速い速度で情報を読み取ることができ、動作環境の距離的制限が緩和されるという利点の他にも、物の知能化といった別途の利点を得ることができる。
【０００４】
これと関連して、最近では、上記ＲＦＩＤタグを認識するリーダを個人の移動端末機に搭載することによって、ＲＦＩＤ技術を個人化及び多角化している傾向にある。
【０００５】
しかし、既存のＲＦＩＤリーダが内蔵された携帯電話は、タグを認知するために電磁波を放出することになるが、もし周囲に散在している多数のリーダが特定タグの認識を同時に試みる場合、それぞれのＲＦＩＤリーダから放出される電磁波が相互に影響し合うことにより、タグの認識動作が正常に遂行できないという問題が発生する。
【０００６】
これと関連して、既存には、上述したリーダ間の干渉を最小化するためにＲＦＩＤリーダに‘ＡＬＯＨＡ’、‘Ｓｌｏｔｔｅｄ ＡＬＯＨＡ’、‘Ｆｒａｍｅ Ｓｌｏｔｔｅｄ ＡＬＯＨＡ’及び‘Ａｄａｐｔｉｖｅ Ｆｒａｍｅ Ｓｌｏｔｔｅｄ ＡＬＯＨＡ’などの技術などが適用された。しかし、このような従来技術もリーダ間の干渉現象を著しく解消することはできていないのが実情である。
【０００７】
（発明の開示）
本発明は、上記のような先行技術に内在された問題点を解決するために案出されたものであり、その目的は、移動端末機で使われる同期信号又は非同期信号を含む移動通信網信号を通して、多数の移動端末機に搭載されたＲＦＩＤリーダの動作をそれぞれスケジューリング（Scheduling）してＲＦＩＤリーダ間の干渉を最小化するために、移動端末機の固有番号及び基地局との同期化のための移動通信網信号を認知し、上記移動通信網信号の一周期を構成する時間順に配列された基本情報単位に、順次的な識別番号（０、１、２、・・・Ｎ−１）を付与し、移動端末機の固有番号を、上記移動通信網信号の周期を構成する基本情報単位の数（Ｎ）で割り、上記基本情報単位の数で割った上記移動端末機の固有番号の余りと同じ上記識別番号が付与された上記移動通信網信号の特定基本情報単位に、上記リーダの動作時間を配当し、上記配当された動作時間の間に特定タグ（ＴＡＧ）の認識のための電磁波を出力する、ＲＦＩＤリーダ間の干渉を最小化する方法を提供することにある。
【０００８】
また、上記問題を解決するための本発明のもう一つの目的は、移動端末機の固有番号及び基地局との同期化のための所定の周期を有する移動通信網信号を認知し、上記固有番号によって、上記移動通信網信号の周期を構成するために時間順に配列された基本情報単位のうち特定基本情報単位の間に、上記移動端末機に内蔵されたＲＦＩＤリーダの動作時間を配分し、上記配分された時間の間だけタグの認識のための電磁波を出力するようにする、ＲＦＩＤリーダ間の干渉を最小化するシステムを提供することにある。
【０００９】
上記目的を達成するために、本発明の一例により、移動端末機に内蔵されたＲＦＩＤリーダの干渉を最小化する方法が提供され、この方法は、ａ）上記移動端末機の固有番号及び基地局との同期化のための移動通信網信号を認知する段階；ｂ）上記移動通信網信号の一周期を構成する時間順に配列された基本情報単位に、順次的な識別番号（０、１、２、・・・Ｎ−１）を付与する段階；ｃ）上記移動端末機の固有番号を、上記移動通信網信号の周期を構成する基本情報単位の数（Ｎ）で割る段階；ｄ）上記基本情報単位の数で割った上記移動端末機の固有番号の余りと同じ上記識別番号が付与された上記移動通信網信号の特定基本情報単位に、上記リーダの動作時間を配当する段階；及び、ｅ）上記配当された動作時間の間に特定タグ（ＴＡＧ）の認識のための電磁波を出力する段階；を含むことを特徴とする。
【００１０】
上記構成において、上記移動端末機の固有番号は、上記移動端末機を識別するためのＭＤＮ、ＭＩＮ、ＥＳＮ、及びＭＳＩＳＤＮのうち何れか一つを含むことを特徴とする。
【００１１】
上記構成において、上記移動通信網信号は、時間順に配列された多数のスロット（Slot）又はフレーム（Frame）から周期が構成されることを特徴とする。
【００１２】
本発明の他の一例により、ＲＦＩＤリーダ間の干渉を最小化するシステムが提供され、このシステムは、移動端末機の固有番号及び基地局との同期化のための所定の周期を有する移動通信網信号を認知し、上記固有番号によって、上記移動通信網信号の周期を構成するために時間順に配列された基本情報単位のうち特定基本情報単位の間に、上記移動端末機に内蔵されたＲＦＩＤリーダの動作時間を配分し、上記配分された時間の間だけタグの認識のための電磁波を出力するようにすることを特徴とする。
【００１３】
上記構成において、上記移動端末機は、上記移動通信網信号の一周期を構成する時間順に配列された基本情報単位に、順次的な識別番号（０、１、２、・・・Ｎ−１）を付与し、上記移動端末機の固有番号を、上記移動通信網信号の周期を構成する基本情報単位の数（Ｎ）で割り、割った上記移動端末機の固有番号の余りと同じ上記識別番号が付与された特定基本情報単位に、上記動作時間を配分することを特徴とする。
【００１４】
上記構成において、上記移動端末機の固有番号は、上記移動端末機を識別するためのＭＤＮ、ＭＩＮ、ＥＳＮ、及びＭＳＩＳＤＮのうち何れか一つを含むことを特徴とする。
【００１５】
上記構成において、上記移動通信網信号は、時間順に配列された多数のスロット又はフレームから周期が構成されることを特徴とする。
【００１６】
上記構成において、上記移動端末機は、内蔵されたホストＭＣＵを通して上記ＲＦＩＤリーダの動作を制御することを特徴とする。
【発明を実施するための最良の形態】
【００１７】
以下、添付図面を参照しながら、本発明の望ましい実施例を詳述する。
【００１８】
図１は、本発明の実施例による、ＲＦＩＤリーダ間の干渉を最小化するシステムの概略的な構成図である。
【００１９】
図１に示した通り、本発明の実施例によるシステムは、自身の固有番号、即ち移動端末機１００の固有番号及び基地局との同期化のための所定の周期を有する移動通信網信号を認知し、上記固有番号によって、上記移動通信網信号の周期を構成するために時間順に配列された基本情報単位のうち特定時間にタグ２００の認識のための動作時間を配分する移動端末機１００；及び上記移動端末機に内蔵され、上記配分された時間の間にタグ２００の認識のための電磁波を出力するＲＦＩＤリーダ１１０；を含んで構成される。ここで、上記移動端末機１００の固有番号は、例えば上記移動端末機１００に固有に付与されるＭＤＮ、ＭＩＮ、ＥＳＮ、及びＭＳＩＳＤＮなどの番号が該当し、望ましくは移動端末機が有する数値化された固有情報であれば全て適用可能である。また、上記基地局との同期化のための所定の周期を有する移動通信網信号は、時間順に配列された多数のスロット（Slot）又はフレーム（Frame）から周期が構成される。
【００２０】
より詳しくは、上記それぞれの移動端末機１００は、内蔵されたモデムチップ、即ちホストＭＣＵ（図示せず)を通して、搭載されたＲＦＩＤリーダ１１０の動作タイミングを決定する。即ち、移動通信網信号の一周期を構成する時間順に配列されたスロット又はフレームに、順次的な識別番号（０、１、２、・・・Ｎ−１）を付与し、上記移動端末機１００の固有番号を、上記移動通信網信号の周期を構成する基本情報単位の数（Ｎ）で割り、割った上記移動端末機１００の固有番号の余りと同じ上記識別番号が付与されたスロット又はフレームに、上記動作時間を配分する。
【００２１】
従って、それぞれの移動端末機１００に内蔵されたＲＦＩＤリーダ１１０は、基地局との同期化のための移動通信網信号、望ましくは同期信号又は非同期信号、乃至はこれに準ずる任意の信号によってそれぞれの移動端末機の固有番号別動作時間（Ａ、Ｂ、Ｃ）が配分されることにより、タグ２００の認識によるリーダ相互間の動作時間を全て異なるように構成できる。
【００２２】
以下では、図２を参照しながら、本発明の実施例による、移動端末機に内蔵されたＲＦＩＤリーダ間の干渉を最小化する方法を説明する。図２は、本発明の実施例による、ＲＦＩＤリーダ間の干渉を最小化する方法を説明するための概略的な順序図である。
【００２３】
まず、一つのタグ２００が配置された所定の場所、即ちタグ２００の位置する場所から数〜数十ｍ以内に、上記タグ２００の認知のためのＲＦＩＤリーダ１１０が搭載された多数の移動端末機１００が散在する場合、それぞれの移動端末機１００は、自身の固有番号及び基地局との同期化のための移動通信網信号を認知する（Ｓ１００）。望ましくは、移動端末機に内蔵されたホストＭＣＵは、移動端末機を識別するためのＭＤＮ、ＭＩＮ、ＥＳＮ、及びＭＳＩＳＤＮなどのような移動端末機の固有番号、及び時間順に配列された多数のスロット又はフレームから上記周期が構成される移動通信網信号を認知する。
【００２４】
そして、移動端末機１００は、上記移動通信網信号の一周期を構成する時間順に配列された多数のスロット又はフレームに、順次的な識別番号（０、１、２、・・・Ｎ−１）を付与する(Ｓ２００)。
【００２５】
次に、移動端末機１００は、上記移動端末機１００の固有番号を、上記移動通信網信号の周期を構成する基本情報単位の数（Ｎ）で割る（Ｓ３００）。
【００２６】
以後、移動端末機１００は、上記基本情報単位の数で割った上記移動端末機１００の固有番号の余りと同じ上記識別番号が付与された上記移動通信網信号の特定基本情報単位に、ＲＦＩＤリーダ１１０の動作時間を配当する(Ｓ４００)。
【００２７】
最後に、ＲＦＩＤリーダ１１０は、上記配当された動作時間の間に特定タグの認識のための電磁波を出力することによって相互間の干渉を最小化する(Ｓ５００)。
【００２８】
以上から分かるように、本発明による、ＲＦＩＤリーダ間の干渉を最小化する方法は、移動端末機の固有番号によって移動通信網信号の周期の特定時点に固有の動作時間を配分することにより、所定の領域に散在している多数のリーダが一つのタグの認識を同時に試みる場合にも、リーダ間の相互干渉を最小化することができる。
【００２９】
以上、本発明を望ましい実施例を参照しながら詳しく説明したが、本発明は、上記の実施例に限定されず、以下の特許請求範囲にて請求する本発明の要旨を逸脱しない範囲内で、本発明の属する技術分野における通常の知識を有する者ならば誰でも多様な変形又は修正が可能なことは勿論である。
【図面の簡単な説明】
【００３０】
本明細書に添付される次の図面は、本発明の望ましい実施例を例示するもので、後述の発明の詳細な説明と共に本発明の技術思想をより一層理解させるためのものであるため、本発明はかかる図面に示された事項にのみ限定されて解釈されてはならない。
【図１】本発明による、ＲＦＩＤリーダ間の干渉を最小化するシステムの概略的な構成図である。
【図２】本発明の実施例による、ＲＦＩＤリーダ間の干渉を最小化する方法を説明するための概略的な順序図である。
【図２】
2010516079.tif 000003
【図１】
2010516079.tif 000004
【国際調査報告】
2010516079.tif 000005
2010516079.tif 000006